【手続補正書】
【提出日】平成16年3月4日(2004.3.4)
【手続補正１】
【補正対象書類名】明細書
【補正対象項目名】発明の名称
【補正方法】変更
【補正の内容】
【発明の名称】印刷装置
【手続補正２】
【補正対象書類名】明細書
【補正対象項目名】特許請求の範囲
【補正方法】変更
【補正の内容】
【特許請求の範囲】
【請求項１】
質問データとそれに対する解答データとが関連性を持って記憶された記憶データを読み出す読み出し手段と、
前記読み出し手段により読み出された記憶データに基づいて、前記質問データおよび解答データを、当該質問データとそれに対する解答データとの関連性が視認可能な所定のフォーマットで被印刷媒体上に印刷する印刷手段とを備えたことを特徴とする印刷装置。
【請求項２】
前記読み出し手段により読み出された記憶データに基づいて、１以上の質問データとそれに対する１以上の解答データとからなる印刷データを作成する印刷データ作成手段を更に備え、
前記印刷手段には、前記印刷データ作成手段により作成された印刷データに基づいて、前記質問データおよび解答データを印刷する手段が含まれることを特徴とする請求項１に記載の印刷装置。
【請求項３】
前記印刷データ作成手段には、前記１以上の質問データの中から任意に指定した質問データとそれに対する解答データとに基づいて前記印刷データを作成する手段が含まれることを特徴とする請求項２に記載の印刷装置。
【請求項４】
前記印刷データ作成手段には、前記１以上の質問データの中から所定の規則にしたがって抽出された質問データとそれに対する解答データとに基づいて前記印刷データを作成する手段が含まれることを特徴とする請求項２または３に記載の印刷装置。
【請求項５】
前記印刷データ作成手段には、前記質問データおよび／またはそれに対する解答データの、一部または全部を空白データに置き換えて印刷データを作成する手段が含まれることを特徴とする請求項２、３または４に記載の印刷装置。
【請求項６】
前記質問データおよび解答データを、当該質問データとそれに対する解答データとの関連性が認識可能な状態で表示する表示手段を更に備えたことを特徴とする請求項１ないし５のいずれかに記載の印刷装置。
【請求項７】
前記表示手段には、前記質問データおよび解答データを別々におよび／または同時に表示する手段が含まれることを特徴とする請求項６に記載の印刷装置。
【請求項８】
前記被印刷媒体を任意の長さに切断する切断手段を更に備え、
前記切断手段には、前記質問データに基づいて印刷される質問部分と当該質問データに対する解答データに基づいて印刷される解答部分とを分離して切断する手段が含まれることを特徴とする請求項１ないし７のいずれかに記載の印刷装置。
【請求項９】
前記切断手段には、前記質問データに基づいて印刷される質問部分と当該質問データに対する解答データに基づいて印刷される解答部分とを接合した状態で切断する手段が含まれることを特徴とする請求項８に記載の印刷装置。
【請求項１０】
前記質問データおよび／または前記解答データを入力可能な入力手段を更に備えたことを特徴とする請求項１ないし９のいずれかに記載の印刷装置。
【請求項１１】
前記記憶データを記憶する記憶手段を更に備え、
前記読み出し手段には、前記記憶手段に記憶された記憶データを読み出す手段が含まれることを特徴とする請求項１ないし１０のいずれかに記載の印刷装置。
【請求項１２】
前記記憶データを記憶した外部記憶装置を接続する外部記憶装置接続手段を更に備え、
前記読み出し手段には、前記外部記憶装置接続手段を介して前記外部記憶装置からの前記記憶データを読み出す手段が含まれることを特徴とする請求項１ないし１１のいずれかに記載の印刷装置。
【請求項１３】
前記記憶データを記憶した記憶媒体を装着する記憶媒体装着手段を更に備え、
前記読み出し手段には、前記記憶媒体装着手段を介して前記記憶媒体からの前記記憶データを読み出す手段が含まれることを特徴とする請求項１ないし１２のいずれかに記載の印刷装置。
【手続補正３】
【補正対象書類名】明細書
【補正対象項目名】０００１
【補正方法】変更
【補正の内容】
【０００１】
【発明の属する技術分野】
本発明は、質問データとそれに対する解答データとが関連性を持って記憶された記憶データに基づいて、当該関連性が視認可能な所定のフォーマットで質問データおよび解答データを印刷可能な印刷装置に関するものである。


【手続補正４】
【補正対象書類名】明細書
【補正対象項目名】０００６
【補正方法】変更
【補正の内容】
【０００６】
本発明は、上記の問題点に鑑み、「電子学習機」など、質問（問題）とそれに対する解答のように関連性を持って記憶された記憶データに基づいて、煩雑な設定をしなくとも、その関連性が視認可能な所定のフォーマットで、これらの質問と解答を印刷可能な印刷装置を提供することを目的とする。


【手続補正５】
【補正対象書類名】明細書
【補正対象項目名】０００８
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１８
【補正方法】削除
【補正の内容】
【手続補正９】
【補正対象書類名】明細書
【補正対象項目名】００２２
【補正方法】削除
【補正の内容】
【手続補正１０】
【補正対象書類名】明細書
【補正対象項目名】００５４
【補正方法】変更
【補正の内容】
【００５４】
【発明の実施の形態】
以下、本発明の一実施形態に係る印刷装置について、添付図面を参照しながら詳細に説明する。


【手続補正１１】
【補正対象書類名】明細書
【補正対象項目名】０１３２
【補正方法】変更
【補正の内容】
【０１３２】
【発明の効果】
上述のように、本発明の印刷装置によれば、質問とそれに対する解答のように関連性を持って記憶された記憶データに基づいて、これらの質問と解答をその関連性が視認可能な所定のフォーマットで、且つ簡単な操作により印刷できる、などの効果がある。


【手続補正１２】
【補正対象書類名】明細書
【補正対象項目名】図面の簡単な説明
【補正方法】変更
【補正の内容】
【図面の簡単な説明】
【図１】本発明の一実施形態に係る印刷装置を適用したテープ印刷装置の外観斜視図である。
【図２】図１のテープ印刷装置の開閉蓋を開蓋した状態の外観斜視図である。
【図３】図１に示すテープ印刷装置の制御系のブロック図である。
【図４】図１のテープ印刷装置と電子学習機を接続した状態を示す図である。
【図５】外部データの入力・登録方法の一例を画面表示で示す説明図である。
【図６】図５に続く、外部データの入力・登録方法の一例を画面表示で示す説明図である。
【図７】図６に続く、外部データの入力・登録方法の一例を画面表示で示す説明図である。
【図８】印刷方法の一例を画面表示で示す説明図である。
【図９】キーボードによるデータの入力・登録方法の一例を画面表示で示す説明図である。
【図１０】図９に続く、キーボードによるデータの入力・登録方法の一例を画面表示で示す説明図である。
【図１１】図８の操作による印刷結果の一例を示す図である。
【図１２】図１１とは別の印刷結果の一例を示す図である。
【図１３】さらに、別の印刷結果の一例を示す図である。
【図１４】さらに、別の印刷結果の一例を示す図である。
【図１５】「単語カード作成画面」および「§０１データ選択画面」における選択肢の一覧表を示す図である。
【図１６】電子学習機を示す図である。
【図１７】図１３の電子学習機の表示例を示す図である。